(57)【要約】【課題】本発明では、動画コンテンツをザッピングしながら視聴中、ザッピング履歴を逆順にさかのぼりながら、動画コンテンツの再生を「中止した部分から」開始することが可能なコンテンツ表示装置などを提供することを課題とする。【解決手段】一の動画コンテンツを再生表示中に、他の動画コンテンツを再生する指示入力を受付けると、再生表示する動画コンテンツを切替えるとともに、それまで再生表示していた動画コンテンツのレジューム情報をスタックしていく。そして、ユーザ操作に基づき、又は、再生中の動画コンテンツの再生が終了するのをトリガに、スタックされているレジューム情報を後入れ先出し方式で取り出すと、取り出したレジューム情報を利用して、途中で再生を中止した動画コンテンツのレジューム再生を開始するコンテンツ表示装置を提供する。【選択図】          図２
2010130409.tif 000002
【特許請求の範囲】
【請求項１】
動画コンテンツを再生表示する動画コンテンツ再生表示部と、
動画コンテンツ再生表示部で再生表示する動画コンテンツの入替指示入力を受付けるためのインターフェイスである動画コンテンツリストを表示する動画コンテンツリスト表示部と、
動画コンテンツ再生表示部が動画コンテンツを再生している途中で入替指示入力があるごとに、それまで動画コンテンツ表示部が再生表示していた動画コンテンツのレジューム情報を順次スタックするレジューム情報スタック部と、
レジューム情報スタック部にスタックされているレジューム情報を、後入れ先出し方式で取り出すレジューム情報取出部と、
取り出したレジューム情報を利用して、動画コンテンツ再生表示部に対してレジューム再生を命令するレジューム再生命令部と、
を有するコンテンツ表示装置。
【請求項２】
動画コンテンツリスト表示部は、
動画コンテンツリストを一度に表示しきれない場合には所定の順番及び所定のインターバルで順次表示するサイクル表示手段を有する請求項１に記載のコンテンツ表示装置。
【請求項３】
レジューム情報取出部は、
ユーザからのレジューム再生指示入力の受付をトリガに、レジューム情報スタック部にスタックされているレジューム情報を後入れ先出し方式で取り出すユーザ操作取出手段を有する請求項１又は２に記載のコンテンツ表示装置。
【請求項４】
レジューム情報取出部は、
メインコンテンツ再生表示部が再生表示している動画コンテンツの再生が終了したのをトリガに、レジューム情報スタック部にスタックされているレジューム情報を後入れ先出し方式で取り出す再生終了取出手段を有する請求項１から３のいずれか一に記載のコンテンツ表示装置。
【請求項５】
動画コンテンツを再生表示する動画コンテンツ再生表示ステップと、
再生表示する動画コンテンツの入替指示入力を受付けるためのインターフェイスである動画コンテンツリストを表示する動画コンテンツリスト表示ステップと、
一の動画コンテンツを再生している途中で入替指示入力があるごとに、それまで再生表示していた動画コンテンツのレジューム情報を順次スタックするレジューム情報スタックステップと、
レジューム情報スタックステップにてスタックされたレジューム情報を、後入れ先出し方式で取り出すレジューム情報取出ステップと、
取り出したレジューム情報を利用して、レジューム再生を命令するレジューム再生命令ステップと、
を有するコンテンツ表示方法。
【請求項６】
コンテンツ表示部と、
メインコンテンツとともに画面に表示されているメタデータをユーザからの取得指示に従って取得し、取得したメタデータを順次スタックするメタデータスタック部と、
スタックされたメタデータを後入れ先出し方式で取り出すメタデータ取出部と、
取り出したメタデータを利用してメタデータコンテンツを取得するメタデータコンテンツ取得部と、
を有するコンテンツ表示装置。
【請求項７】
請求項６に記載のコンテンツ表示装置と、検索サーバ装置とからなるコンテンツ表示システムであって、
前記コンテンツ表示装置のメタデータコンテンツ取得部は、
メタデータ取出部が取り出したメタデータをインターネット上の検索サーバ装置に対して送信する送信手段と、
前記サーバ装置からメタデータコンテンツ検索結果を受信する受信手段と、
を有し、
前記検索サーバ装置は、
コンテンツ表示装置から前記メタデータを受信するメタデータ受信部と、
受信したメタデータを利用してウェブ上でメタデータコンテンツを検索するメタデータコンテンツ検索部と、
メタデータコンテンツ検索部での検索結果であるメタデータコンテンツ検索結果を前記コンテンツ表示装置に対して送信する検索結果送信部と、
を有するコンテンツ表示システム。
【請求項８】
検索サーバ装置のメタデータコンテンツ検索部は、
ウェブ上でのメタデータコンテンツの検索に利用したキーワードの種別を特定するキーワード種別特定手段と、
前記キーワードを用いて検索したメタデータコンテンツのなかで、特定したキーワードの種別に合致するメタデータコンテンツを抽出する合致コンテンツ抽出手段と
を有する請求項７に記載のコンテンツ表示システム。
【請求項９】
コンテンツ表示ステップと、
メインコンテンツとともに画面に表示されているメタデータをユーザからの取得指示に従って取得し、取得したメタデータを順次スタックするメタデータスタックステップと、
スタックされたメタデータを後入れ先出し方式で取り出すメタデータ取出ステップと、
取り出したメタデータを利用してメタデータコンテンツを取得するメタデータコンテンツ取得ステップと、
を有するコンテンツ表示装置のコンテンツ表示方法。
【発明の詳細な説明】
【技術分野】
【０００１】
本発明は、動画コンテンツを表示可能なコンテンツ表示装置に関し、より詳しくは、複数の動画コンテンツをザッピングしながら視聴したり、動画コンテンツと静止画コンテンツをザッピングしながら視聴したりするのに適したコンテンツ表示装置に関する。
【背景技術】
【０００２】
ウェブ上で動画コンテンツ配信サービスが提供されている。例えば、動画コンテンツの内容を識別する情報としてサムネイル画像やコンテンツに関するコメントなどを一覧表示し、選択された一つの動画コンテンツをダウンロード形式やストリーミング形式でユーザ端末に配信し、再生させるように構成されたものなどがある。
【０００３】
近年、ウェブ上で提供されている動画コンテンツは大量にあるが、その内容を識別するために提供されている情報としては、動画コンテンツの最初の静止画像によるサムネイル画像や、簡易なコメントなど、動画コンテンツの内容を把握するには必ずしも十分なものではない。よって、希望する動画コンテンツを探しているユーザは、前記のような情報を基にある程度の絞り込みをかけた後、次々に再生表示する動画コンテンツを切り替えながら見る、いわゆるザッピングを行い、希望する動画コンテンツを探すこととなる。
【０００４】
また、興味のある動画コンテンツを複数見つけたユーザは、それらの動画コンテンツをザッピングしながら再生表示し視聴したりする場合がある。
【０００５】
前記のような場合、ユーザは、一つの動画コンテンツを再生している途中で、他の動画コンテンツの再生を開始し、その後再び、前記途中で再生を中止した動画コンテンツの再生を「中止した部分から」開始することを希望すると考えられる。さらには、一の動画コンテンツを再生している途中で、他の動画コンテンツの再生を開始し、さらにその動画コンテンツを再生している途中で、さらに他の動画コンテンツの再生を開始し、その後再び、それ以前に途中で再生を中止した動画コンテンツの再生を「中止した部分から」開始することを希望すると考えられる。
【０００６】
ここで、インターネット経由で動画コンテンツを配信するシステムにおいて、途中で再生を中止した動画コンテンツの再生を「中止した部分から」開始する、いわゆるレジューム再生を実現した発明が、特許文献１や特許文献２に記載されている。特許文献１や特許文献２に記載されている発明は、途中で再生を中止した動画コンテンツの識別情報とレジューム情報とを関連付けて保持しておき、ユーザから動画コンテンツを識別する情報とレジューム再生を行う指示入力を受付けつけると、保持しておいたレジューム情報を利用して、レジューム再生を開始するというものである。
【０００７】
すなわち、再生を途中で中止したコンテンツのレジューム再生を希望するユーザは、そのレジューム再生を希望するコンテンツを識別する情報を入力する必要がある。かかる入力は、一覧表示されたサムネイル画像の選択などにより行うことが可能であるが、レジューム再生を希望するコンテンツが一覧表示されていない場合には、ユーザは、そのコンテンツを検索する必要があり、このような操作は複数の動画コンテンツをザッピングしながら視聴する上で非常に面倒である。
【０００８】
そこで、ザッピング中に、面倒な操作なしに、途中で再生を中止した動画コンテンツの再生を「中止した部分から」開始することが可能なコンテンツ表示装置が望まれる。具体的には、ザッピング履歴を逆順にさかのぼりながら、動画コンテンツの再生を「中止した部分から」開始することが可能なコンテンツ表示装置などが望まれる。
【０００９】
同様に、近年、メインコンテンツとともに画面にメタデータが表示される技術が開発されている。例えば、デジタルテレビ放送コンテンツと同期して表示されるデータ放送において、デジタルテレビ放送コンテンツの出演者の衣装情報など、デジタルテレビ放送コンテンツに関連するコンテンツ（以下、「デジタルテレビ放送関連コンテンツ」という）の情報が一覧表示される技術が開発されている。かかるサービスにおいては、その画面上からの操作により、画面表示を、デジタルテレビ放送コンテンツからデジタルテレビ放送関連コンテンツの情報を記載したウェブページに切替えたりすることが可能となる。
【００１０】
このようなデジタルテレビ放送関連コンテンツの情報を記載したウェブページの閲覧は、デジタルテレビ放送コンテンツの視聴の合間をぬって行われるケースが多いと考えられる。そこで、前記のような態様で、デジタルテレビ放送コンテンツの視聴及びデジタルテレビ放送関連コンテンツの情報を記載したウェブページの閲覧を行うことが可能な装置が望まれる。
【特許文献１】特開２００４−２２９０３５
【特許文献２】特開２００７−３０６０７６
【発明の開示】
【発明が解決しようとする課題】
【００１１】
そこで、本発明では、動画コンテンツをザッピングしながら視聴中、面倒な操作なしに、途中で再生を中止した動画コンテンツの再生を「中止した部分から」開始することが可能なコンテンツ表示装置を提供することを課題とする。具体的には、ザッピング履歴を逆順にさかのぼりながら、動画コンテンツの再生を「中止した部分から」開始することが可能なコンテンツ表示装置を提供することなどを課題とする。
【００１２】
また、本発明では、デジタルテレビ放送、ＤＶＤコンテンツ、ＶＯＤコンテンツなどのインターフェイスにおいて、メインコンテンツとともに画面に表示されるメタデータを利用して行うウェブページなどのコンテンツの取得を、面倒な操作なしに、メインコンテンツの視聴の合間をぬって行うことが可能なコンテンツ表示装置を提供することを課題とする。
【課題を解決するための手段】
【００１３】
上記課題を解決するための手段として、以下のような発明などを提供する。
【００１４】
ウェブブラウザなどに設けられたいわゆる「戻るボタン」の機能と、レジューム再生の機能とを組み合わせた再生手段を有するコンテンツ表示装置を提供する。すなわち、一つの動画コンテンツを再生表示中に、他の動画コンテンツを再生する指示入力を受付けると、再生表示する動画コンテンツを切替えるとともに、それまで再生表示していた動画コンテンツのレジューム情報をスタックしていく。そして、ユーザ操作に基づき、又は、再生中の動画コンテンツの再生が終了するのをトリガに、スタックされているレジューム情報を後入れ先出し方式で取り出すと、取り出したレジューム情報を利用して、途中で再生を中止した動画コンテンツのレジューム再生を開始するコンテンツ表示装置を提供する。
【００１５】
また、デジタルテレビ放送、ＤＶＤコンテンツ、ＶＯＤコンテンツなどのメインコンテンツとともに画面に表示されているメタデータをスタックする指示入力を受付けると、指示入力に従いメタデータをスタックしていく。そして、ユーザ操作に基づき、スタックされているメタデータを後入れ先出し方式で取り出すと、取り出したメタデータを利用して、連続的にウェブページを表示するコンテンツ表示装置を提供する。
【００１６】
具体的には、以下のような発明を提供する。
【００１７】
第一発明では、動画コンテンツを再生表示する動画コンテンツ再生表示部と、動画コンテンツ再生表示部で再生表示する動画コンテンツの入替指示入力を受付けるためのインターフェイスである動画コンテンツリストを表示する動画コンテンツリスト表示部と、動画コンテンツ再生表示部にユーザからの入替指示入力に従って入替表示可能な動画コンテンツのリストを表示する動画コンテンツリスト表示部と、動画コンテンツ再生表示部が動画コンテンツを再生している途中で入替指示があるごとに、それまで動画コンテンツ表示部が再生表示していた動画コンテンツのレジューム情報を順次スタックするレジューム情報スタック部と、レジューム情報スタック部にスタックされているレジューム情報を、後入れ先出し方式で取り出すレジューム情報取出部と、取り出したレジューム情報を利用して、動画コンテンツ再生表示部に対してレジューム再生を命令するレジューム再生命令部と、を有するコンテンツ表示装置を提供する。
【００１８】
第二発明では、第一発明を基本とし、さらに、動画コンテンツリスト表示部は、動画コンテンツリストを一度に表示しきれない場合には所定の順番及び所定のインターバルで順次表示するサイクル表示手段を有するコンテンツ表示装置を提供する。
【００１９】
第三発明では、第一発明又は第二発明を基本とし、さらに、レジューム情報取出部は、ユーザからのレジューム再生指示入力の受付をトリガに、レジューム情報スタック部にスタックされているレジューム情報を後入れ先出し方式で取り出すユーザ操作取出手段を有するコンテンツ表示装置を提供する。
【００２０】
第四発明では、第一発明から第三発明のいずれか一を基本とし、さらに、レジューム情報取出部は、メインコンテンツ再生表示部が再生表示している動画コンテンツの再生が終了したのをトリガに、レジューム情報スタック部にスタックされているレジューム情報を後入れ先出し方式で取り出す再生終了取出手段を有するコンテンツ表示装置を提供する。
【００２１】
第五発明では、動画コンテンツを再生表示する動画コンテンツ再生表示ステップと、再生表示する動画コンテンツの入替指示入力を受付けるためのインターフェイスである動画コンテンツリストを表示する動画コンテンツリスト表示ステップと、一の動画コンテンツを再生している途中で入替指示入力があるごとに、それまで再生表示していた動画コンテンツのレジューム情報を順次スタックするレジューム情報スタックステップと、レジューム情報スタックステップにてスタックされたレジューム情報を、後入れ先出し方式で取り出すレジューム情報取出ステップと、取り出したレジューム情報を利用して、レジューム再生を命令するレジューム再生命令ステップと、を有するコンテンツ表示方法を提供する。
【００２２】
第六発明では、コンテンツ表示部と、メインコンテンツとともに画面に表示されているメタデータをユーザからの取得指示に従って取得し、取得したメタデータを順次スタックするメタデータスタック部と、スタックされたメタデータを後入れ先出し方式で取り出すメタデータ取出部と、取り出したメタデータを利用してメタデータコンテンツを取得するメタデータコンテンツ取得部を有するコンテンツ表示装置を提供する。
【００２３】
第七発明では、第六発明のコンテンツ表示装置と、検索サーバ装置とからなるコンテンツ表示システムであって、前記コンテンツ表示装置のメタデータコンテンツ取得部は、メタデータ取出部が取り出したメタデータをインターネット上の検索サーバ装置に対して送信する送信手段と、前記サーバ装置からメタデータコンテンツ検索結果を受信する受信手段を有し、前記検索サーバ装置は、コンテンツ表示装置から前記メタデータを受信するメタデータ受信部と、受信したメタデータを利用してウェブ上でメタデータコンテンツを検索するメタデータコンテンツ検索部と、メタデータコンテンツ検索部での検索結果であるメタデータコンテンツ検索結果を前記コンテンツ表示装置に対して送信する検索結果送信部を有するコンテンツ表示システムを提供する。
【００２４】
第八発明では、第七発明を基本とし、さらに、検索サーバ装置のメタデータコンテンツ検索部は、ウェブ上でのメタデータコンテンツの検索に利用したキーワードの種別を特定するキーワード種別特定手段と、前記キーワードを用いて検索したメタデータコンテンツのなかで、特定したキーワードの種別に合致するメタデータコンテンツを抽出する合致コンテンツ抽出手段とを有するコンテンツ表示システムを提供する。
【００２５】
第九発明では、コンテンツ表示ステップと、メインコンテンツとともに画面に表示されているメタデータをユーザからの取得指示に従って取得し、取得したメタデータを順次スタックするメタデータスタックステップと、スタックされたメタデータを後入れ先出し方式で取り出すメタデータ取出ステップと、取り出したメタデータを利用してメタデータコンテンツを取得するメタデータコンテンツ取得ステップを有するコンテンツ表示装置のコンテンツ表示方法を提供する。
【発明の効果】
【００２６】
本発明のコンテンツ表示装置及びコンテンツ表示方法により、ユーザは、動画コンテンツをザッピングしながら視聴中、面倒な操作なしに、途中で再生を中止した動画コンテンツの再生を「中止した部分から」開始することが可能となる。
【００２７】
また、本実施形態のコンテンツ表示装置及びコンテンツ表示方法及びコンテンツ表示システムにより、ユーザは、デジタルテレビ放送、ＤＶＤコンテンツ、ＶＯＤコンテンツなどのメインコンテンツとともに画面に表示されているメタデータを利用して、ユーザが希望するタイミングで、ウェブページなどのコンテンツを取得し、閲覧することが可能となる。その結果、デジタルテレビ放送、ＤＶＤコンテンツ、ＶＯＤコンテンツなどのメインコンテンツを見逃したり、メタデータを利用して行うコンテンツの取得をやり損ねたりすることがなくなる。
【発明を実施するための最良の形態】
【００２８】
以下に、本発明の実施例を説明する。実施例と請求項の相互の関係は、以下のとおりである。実施形態１は主に請求項１、２、３、４、５などに関し、実施形態２は主に請求項６、９などに関し、実施形態３は主に請求項７、８などに関する。なお、本発明はこれら実施例に何ら限定されるものではなく、その要旨を逸脱しない範囲内において、様々な態様で実施しうる。
<<実施形態１>>
<実施形態１の概要>
【００２９】
本実施形態のコンテンツ表示装置は、図１の概念図に示すように、一つの動画コンテンツを再生表示する際、その動画コンテンツを再生表示する領域（０１０１）と、他の動画コンテンツのサムネイル画像などを一覧表示する領域（０１０２）を有する。
【００３０】
そして、一つの動画コンテンツ（図の場合、コンテンツＡ）を再生表示している途中で、他の動画コンテンツ（図の場合、コンテンツＢ）の再生を開始する指示入力を受付けると、指示入力に従い他の動画コンテンツ（図の場合、コンテンツＢ）の再生表示を開始するとともに、それまで再生表示していた動画コンテンツ（図の場合、コンテンツＡ）のレジューム情報をスタックする。
【００３１】
また、その後、一つの動画コンテンツ（図の場合、コンテンツＢ）を再生表示している途中で、他の動画コンテンツ（図の場合、コンテンツＥ）の再生を開始する指示入力を受付けると、指示入力に従い他の動画コンテンツ（図の場合、コンテンツＥ）の再生表示を開始するとともに、それまで再生表示していた動画コンテンツ（図の場合、コンテンツＢ）のレジューム情報をスタックする。
【００３２】
その後、再生表示中の動画コンテンツ（図の場合、コンテンツＥ）の再生が終了するとそれをトリガに、後入れ先出し方式で一つのレジューム情報（図の場合、コンテンツＢのレジューム情報）を取り出し、レジューム再生を開始する。
【００３３】
なお、スタックしたレジューム情報を利用してのレジューム再生は、ユーザからのレジューム再生指示入力の受付をトリガに行うようにしてもよい。かかる場合のユーザ操作は、レジューム再生を開始する動画コンテンツを識別する情報の入力などは不要であり、単に、ウェブブラウザなどに設けられるいわゆる「戻るボタン」と同様のボタンの選択入力のみでよい。
【００３４】
当該ボタンを選択入力されると、本実施形態のコンテンツ表示装置は、後入れ先出し方式で一つのレジューム情報（図の場合、コンテンツＢのレジューム情報）を取り出し、レジューム再生を開始する。
【００３５】
その他、スタックしたレジューム情報を利用してのレジューム再生は、再生表示中の動画コンテンツの再生終了をトリガにする構成と、ユーザ操作に従い行う構成を組み合わせてもよい。
<実施形態１の機能的構成>
【００３６】
本実施形態の地図検索装置の機能ブロックの一例を図２に示す。図２に示すように、本実施形態の「コンテンツ表示装置」（０２００）は、「動画コンテンツ再生表示部」（０２０１）と、「動画コンテンツリスト表示部」（０２０２）と、「レジューム情報スタック部」（０２０３）と、「レジューム情報取出部」（０２０４）と、「レジューム再生命令部」（０２０５）を有する。また、「動画コンテンツリスト表示部」（０２０２）は「サイクル表示手段」を有してもよい。また、「レジューム情報取出部」（０２０４）は、「ユーザ操作取出手段」、「再生終了取出手段」のいずれか一以上を有してもよい。
【００３７】
ここで、本装置の機能ブロックは、ハードウェア、ソフトウェア、又はハードウェア及びソフトウェアの両方として実現され得る。具体的には、コンピュータを利用するものであれば、ＣＰＵやＲＡＭ、バス、あるいは二次記憶装置（ハードディスクや不揮発性メモリ、ＣＤ−ＲＯＭやＤＶＤ−ＲＯＭなどの記憶メディアとそれらメディアの読取ドライブなど）、印刷機器や表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００３８】
またこれらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記憶媒体に固定した記憶媒体も、当然にこの発明の技術的な範囲に含まれる（本明細書の全体を通じて同様である）。
【００３９】
以下、本実施形態の「コンテンツ表示装置」（０２００）、「動画コンテンツ再生表示部」（０２０１）、「動画コンテンツリスト表示部」（０２０２）、「レジューム情報スタック部」（０２０３）、「レジューム情報取出部」（０２０４）、「レジューム再生命令部」（０２０５）、「動画コンテンツリスト表示部」（０２０２）の「サイクル表示手段」、「レジューム情報取出部」（０２０４）の「ユーザ操作取出手段」「再生終了取出手段」、の機能的構成について詳細に説明する。
【００４０】
「コンテンツ表示装置」（０２００）は、動画コンテンツを再生表示可能に構成されている。すなわち、動画コンテンツデータを取得し、取得した動画コンテンツデータにデコード処理などの所定の処理を行い、動画コンテンツを再生表示するよう構成されている。
【００４１】
なお、再生表示するために動画コンテンツデータを取得する手段としては、例えば、インターネット経由でダウンロード形式又はストリーミング形式により、インターネット上で配信されている動画コンテンツデータを受信する手段が考えられる。その他、有線及び／又は無線での外部機器との通信により、外部機器に保存されている動画コンテンツデータを受信したり、外部機器がＤＶＤなどの記憶媒体から読み出した動画コンテンツデータを受信したりする手段なども考えられる。その他、すでにダウンロード形式及び／又は他の外部機器との通信及び／又はメールなどの手段により取得し、自己の内部メモリ（ＨＤＤ、など）に保存している動画コンテンツデータを取り出す手段なども考えられる。その他、コンテンツ表示装置（０２００）内に、ＤＶＤなどの記憶媒体から動画コンテンツデータを読み出す機能が備わっている場合には、ＤＶＤなどの記憶媒体から動画コンテンツデータを読み出す手段なども考えられる。
【００４２】
本実施形態のコンテンツ表示装置（０２００）は、前記のような動画コンテンツデータを取得する手段の一又は二以上を備え、動画コンテンツデータを取得するよう構成されている。そして、以下で説明する「動画コンテンツ再生表示部」（０２０１）の機能により、動画コンテンツの再生表示を実現している。
【００４３】
「動画コンテンツ再生表示部」（０２０１）は、動画コンテンツを再生表示するよう構成されている。すなわち、動画コンテンツ再生表示部（０２０１）は、コンテンツ表示装置（０２００）が前記のような手段により取得した動画コンテンツデータを取得すると、取得した動画コンテンツデータを利用して、ディスプレイに動画コンテンツを再生表示する。
【００４４】
なお、動画コンテンツ再生表示部（０２０１）は、以下で説明する「動画コンテンツリスト表示部による動画コンテンツリスト表示」を実現するため、ディスプレイいっぱいに動画コンテンツを再生表示するのでなく、ディスプレイの中の一部の領域を利用して再生表示するよう構成される。その表示態様としては特段制限されず、例えば、ディスプレイの略中央に動画コンテンツを再生表示し、その周囲に動画コンテンツリストを表示するようにしてもよいし、又は、ディスプレイの右上又は左上又は右下又は左下に動画コンテンツを再生表示し、ディスプレイ中のその他の領域に動画コンテンツリストを表示するようにしてもよい。表示の態様は任意の設計事項である。
【００４５】
「動画コンテンツリスト表示部」（０２０２）は、動画コンテンツ再生表示部（０２０１）で再生表示する動画コンテンツの入替指示入力を受付けるためのインターフェイスである動画コンテンツリストを表示するよう構成される。当該動画コンテンツリストから一つの動画コンテンツを選択しての入替指示入力を受付けると、前記動画コンテンツ再生表示部（０２０１）が再生表示する動画コンテンツが、前記選択された動画コンテンツに切り替わることとなる。なお、入替指示入力を受付ける手段としては特段制限されず、例えば、マウス操作などでカーソル位置を一つの動画コンテンツのサムネイル画像に合わせてのクリックや、十字キーでカーソル位置を一つの動画コンテンツのサムネイル画像などに合わせて選択ボタンの押下などのユーザ操作により、再生表示する動画コンテンツの入替指示入力を受付けてもよい。
【００４６】
ここで、動画コンテンツリストに表示される各動画コンテンツの表示内容としては、各動画コンテンツを識別可能なものであれば特段制限されず、例えば、動画コンテンツの最初の静止画像や、動画コンテンツの題名、動画コンテンツのあらすじ、出演者など、が考えられる。なお、前記はあくまで一例であり、その他の情報を表示してもよいし、前記の中の一以上を表示しなくてもよい。前記表示は、各動画コンテンツに関連付けられている属性データを利用することで実現することができる。
【００４７】
また、どのような動画コンテンツをリスト表示するかは特段制限されないが、例えば、動画コンテンツ再生表示部（０２０１）で再生表示中の動画コンテンツと関連のある動画コンテンツをリスト表示するようにしてもよい。具体的処理としては、各動画コンテンツにメタデータを付与しておき、再生表示中の動画コンテンツに付与されているメタデータと同じ内容のメタデータが付与されている動画コンテンツをリスト表示するようにしてもよい。
【００４８】
なお、かかる場合には「再生表示中の動画コンテンツと同じ内容のメタデータが付与されている動画コンテンツを抽出」する処理が必要になる。
【００４９】
前記抽出処理を行う対象となる動画コンテンツの集合群の決定の仕方としては特段制限されず、例えば、動画コンテンツ再生表示部（０２０１）で再生表示中の動画コンテンツと「同じデータ取得経路」である動画コンテンツのみを対象にして抽出するようにしてもよい。
【００５０】
すなわち、動画コンテンツ再生表示部（０２０１）がストリーミング形式で動画コンテンツを再生表示している場合には、ストリーミング形式で動画コンテンツデータを取得して再生表示可能な動画コンテンツのみを対象にして、同じ内容のメタデータが付与されている動画コンテンツを抽出するようにしてもよい。かかる動画コンテンツ抽出の処理は、特定のサーバのみを対象にして行ってもよいし、又は、インターネット上に自由にアクセス可能な状態でおかれたすべてのサーバを対象にして行ってもよい。
【００５１】
その他、動画コンテンツ再生表示部（０２０１）が再生表示している動画コンテンツに応じて、ダウンロード形式で取得可能な動画コンテンツのみを抽出処理の対象にしてもよいし、インターネット経由で取得可能（ダウンロード形式とストリーミング形式の両方を含む概念）な動画コンテンツのみを抽出処理の対象にしてもよいし、コンテンツ表示装置の内部メモリに格納されている動画コンテンツのみを抽出処理の対象にしてもよいし、コンテンツ表示装置と有線又は無線での通信可能な状態にある外部機器から取得可能な動画コンテンツのみを抽出処理の対象にしてもよい。
【００５２】
その他、「同じ内容のメタデータが付与されている動画コンテンツを抽出」する処理は、動画コンテンツ再生表示部（０２０１）で再生表示中の動画コンテンツと「同じデータ取得経路」である動画コンテンツのみを対象にするのでなく、複数のデータ取得経路の動画コンテンツを対象に行うようにしてもよいし、又は、動画コンテンツデータを取得可能なすべての動画コンテンツを対象にして行ってもよい。すなわち、動画コンテンツ再生表示部（０２０１）がストリーミング形式で動画コンテンツを再生表示している際に、内部メモリに格納している動画コンテンツを抽出処理の対象にしてもよい。又は、ストリーミング形式で再生表示可能な動画コンテンツと、内部メモリに格納している動画コンテンツと、その時点でコンテンツ表示装置と有線／無線での通信が可能な状態の外部機器内に格納されている動画コンテンツ、及び、外部機器がＤＶＤなどの記憶媒体から読み出し可能な動画コンテンツ、などを同時に抽出処理の対象にしてもよい。
【００５３】
なお、前記のようなリスト表示する動画コンテンツの抽出処理は、コンテンツ表示装置（０２００）で行ってもよいし、又は、外部サーバなどにおいて行い、コンテンツ表示装置（０２００）はその結果を受信するようにしてもよい。さらには、コンテンツ表示装置（０２００）と外部サーバの両方で行ってもよい。そして、動画コンテンツリスト表示部（０２０２）は、前記のような処理により抽出された動画コンテンツをリスト表示するためのデータを受け取り、リスト表示することとなる。
【００５４】
ここで、動画コンテンツのリスト表示の表示態様としては特段制限されず、動画コンテンツ再生表示部（０２０１）が再生表示している領域のわきなどに、縦横規則正しく一覧表示などしてもよい。当該表示態様は、任意の設計事項である。しかし、リスト表示する動画コンテンツの数が多すぎて一度に表示しきれない場合などを想定し、動画コンテンツリスト表示部（０２０２）は「サイクル表示手段」を有してもよい。
【００５５】
「サイクル表示手段」は、動画コンテンツリストを一度に表示しきれない場合には、所定の順番及び所定のインターバルで順次表示するよう構成されている。なお、その表示態様としては特段制限されず、例えば、図３（１）に示すように、ディスプレイの左側領域（０３０１）に動画コンテンツを再生表示し、ディスプレイの右側領域（０３０２）に動画コンテンツリストを縦一列に表示するような場合には、図に示すように、リスト表示した動画コンテンツが所定の速度で図中上向き（又は図中下向き）に移動するように構成し、リスト表示すべきすべての動画コンテンツを順にディスプレイに表示するようにしてもよい。かかる場合、リスト表示すべきすべての動画コンテンツを表示した後は、再び最初の動画コンテンツから順に表示するようにしてもよい。
【００５６】
同様に、図３（２）に示すように、ディスプレイの下側領域（０３０１）に動画コンテンツを再生表示し、ディスプレイの上側領域（０３０２）に動画コンテンツリストを横一列に表示するような場合には、図に示すように、動画コンテンツが所定の速度で図中左向き（又は図中右向き）に移動するように構成し、リスト表示すべきすべての動画コンテンツを順にディスプレイに表示するようにしてもよい。
【００５７】
その他、図３に示すように動画コンテンツを移動させるのでなく、所定時間（例：１０秒）おきに、ディスプレイに表示しているすべての動画コンテンツを一度に他の動画コンテンツに切替えるようにしてもよい。
【００５８】
「レジューム情報スタック部」（０２０３）は、動画コンテンツ再生表示部（０２０１）が動画コンテンツを再生している途中で入替指示入力があるごとに、それまで動画コンテンツ表示部（０２０１）が再生表示していた動画コンテンツのレジューム情報を順次スタックするよう構成される。すなわち、動画コンテンツ再生表示部（０２０１）が動画コンテンツを再生している途中で、動画コンテンツリスト表示部（０２０２）が表示しているインターフェイス（動画コンテンツリスト）から他の動画コンテンツを再生表示する入替指示入力を受付けると、レジューム情報スタック部（０２０３）は、それまで動画コンテンツ表示部（０２０１）が再生表示していた動画コンテンツを識別する情報と、再生を中止した位置を識別する情報を取得し、互いに関連付けてスタックすることとなる。「動画コンテンツを識別する情報」とは、動画コンテンツの題名や動画コンテンツに付されたＩＤなどのほか、必要に応じて、動画コンテンツデータを格納している場所を識別する情報などを組み合わせてもよい。「動画コンテンツデータを格納している場所を識別する情報」としては、サーバ内に格納されている動画コンテンツデータの場合にはＵＲＬであってもよいし、また、コンテンツ表示装置の内部メモリに格納されている動画コンテンツデータの場合にはそのアドレス情報であってもよい。また、コンテンツ表示装置と通信可能な状態の外部機器内に格納されている動画コンテンツデータや前記外部機器で読み出す動画コンテンツデータの場合には、その外部機器を識別する情報やその外部機器と接続された接続端子を識別する情報などであってもよい。「再生を中止した位置を識別する情報」としては、動画コンテンツの最初を基準にした経過時間などが考えられる。
【００５９】
参考までに、図４（Ａ）、（Ｂ）に、レジューム情報スタック部（０２０３）がスタックするレジューム情報の一例を模式的に示す。図４（Ａ）は、特定のサーバから配信される複数の動画コンテンツのデータのみを取得して再生表示、及び、動画コンテンツリスト表示する場合にスタックされるレジューム情報の一例である。かかる場合には、レジューム情報を取得した順番を識別可能な通し番号に、動画コンテンツを配信しているサーバ側にて付された動画コンテンツＩＤと、再生中止位置情報とを関連付けてスタックしてもよい。なお、かかる場合、図示していないが、動画コンテンツを配信しているサーバを特定する情報を別途保持しておくこととなる。
【００６０】
図４（Ｂ）は、複数のサーバから配信される複数の動画コンテンツのデータや、コンテンツ表示装置の内部メモリに格納されている動画コンテンツのデータなどを取得して、再生表示、及び、動画コンテンツリスト表示する場合にスタックされるレジューム情報の一例である。かかる場合には、レジューム情報を取得した順番を識別可能な通し番号に、動画コンテンツを格納している場所を識別する情報と、動画コンテンツを配信しているサーバなどの配信元にて付された動画コンテンツＩＤと、再生中止位置情報を関連付けてスタックしている。
【００６１】
なお、レジューム情報スタック部（０２０３）がレジューム情報をスタックしている場合には、画面上において、レジューム情報をスタックしている動画コンテンツを識別可能に表示してもよい。その手段としては特段制限されず、例えば、動画コンテンツリスト表示部（０２０２）が表示する動画コンテンツリストとは別に、レジューム情報をスタックしている動画コンテンツを、入替指示入力の受付可能にリスト表示してもよい。その他、レジューム情報をスタックしている動画コンテンツを、動画コンテンツリスト表示部（０２０２）でリスト表示しているその他の動画コンテンツと同列にリスト表示する場合には、レジューム情報をスタックしている動画コンテンツのサムネイル画像上にレジューム情報をスタックしている旨を識別する文字情報を表示したり、再生を中止した位置の時間情報を表示したり、サムネイル画像を枠で囲ったり、シャドーや網掛け表示したりすることで識別表示してもよい。
【００６２】
また、スタックしているレジューム情報（以下、「スタックレジューム情報」という）は一覧表示可能に構成されていてもよい。すなわち、ユーザからの操作などに応じ、その時点でスタックされているコンテンツを識別する情報と再生中止位置を識別する情報を関連付けた情報を、画面に一覧表示などしてもよい。そして、一覧表示の中から、レジューム再生を開始するコンテンツの選択と指示入力を受付けることができてもよい。
【００６３】
その他、スタックレジューム情報はファイル化できてもよい。そして、ファイル化したスタックレジューム情報は、他の外部機器や記憶媒体にコピーできてもよい。かかる場合、ファイル化したスタックレジューム情報は他のコンテンツ表示装置で読み込み、レジューム再生のために利用できてもよい。
【００６４】
「レジューム情報取出部」（０２０４）は、レジューム情報スタック部（０２０３）にスタックされているレジューム情報を、後入れ先出し方式で取り出すよう構成されている。「後入れ先出し方式」を実現する手段としては特段制限されず、例えば、図４（Ａ）（Ｂ）に示すように、スタックした順に１から通し番号を付してレジューム情報をスタックし、通し番号が大きいものから順にレジューム情報を取り出すことで実現してもよい。
【００６５】
ここで、レジューム情報取出部（０２０４）は「ユーザ操作取出手段」又は／及び「再生終了取出手段」を有し、それぞれの手段により定まるタイミングで、レジューム情報を取り出してもよい。
【００６６】
「ユーザ操作取出手段」は、ユーザからのレジューム再生指示入力の受付をトリガに、レジューム情報スタック部（０２０３）にスタックされているレジューム情報を、後入れ先出し方式で取り出すよう構成されている。「レジューム再生指示入力」は、レジューム再生を開始する動画コンテンツを特定する情報（「一覧表示された動画コンテンツの中から一つを選択する入力」など）の入力は不要であり、単に、その旨（レジューム再生指示）を示す入力を行うだけでよい。
【００６７】
なお、前記「レジューム再生指示入力」を受付ける具体的手段としては特段制限されないが、例えば、図１１に示すように、動画コンテンツを再生表示などしているインターフェイス上に、ウェブブラウザなどに設けられるいわゆる「戻るボタン」と同様の機能を有するボタンを「レジューム再生指示入力」として受付けてもよい。動画戻るボタン（１１０１）の選択入力は、コンテンツ表示装置に設けられたマウスを利用してポインタ（１１０２）位置を合わせての左クリックや、又は、リモコン装置を利用してポインタ（１１０２）位置を合わせての選択ボタンの押下などが考えられる。かかる場合、ユーザ操作取出手段は、「動画戻るボタン」（１１０１）の選択入力をトリガに、レジューム情報スタック部（０２０３）にスタックされているレジューム情報を、後入れ先出し方式で取り出すこととなる。
【００６８】
なお、ユーザからのレジューム再生指示入力の受付をトリガに、その時点で再生表示している動画コンテンツの再生表示を途中で中止し、他の動画コンテンツのレジューム再生を開始する場合、レジューム情報スタック部（０２０３）は、前記再生表示を途中で中止した動画コンテンツのレジューム情報をスタックするようにしてもよい。
【００６９】
「再生終了取出手段」は、メインコンテンツ再生表示部（０２０１）が再生表示している動画コンテンツの再生が終了したのをトリガに、レジューム情報スタック部（０２０３）にスタックされているレジューム情報を、後入れ先出し方式で取り出すよう構成されている。「メインコンテンツ再生表示部（０２０１）が再生表示している動画コンテンツの再生が終了」とは、一つの動画コンテンツを最後まで再生し終えることである。すなわち、レジューム情報取出部（０２０４）は、メインコンテンツ再生表示部（０２０１）が再生表示している動画コンテンツを最後まで再生し終えた旨の信号を取得すると、それをトリガに、レジューム情報スタック部（０２０３）にスタックされているレジューム情報を、後入れ先出し方式で一つのレジューム情報を取り出すように構成してもよい。
【００７０】
「レジューム再生命令部」（０２０５）は、取り出したレジューム情報を利用して、動画コンテンツ再生表示部（０２０１）に対してレジューム再生を命令するよう構成されている。「レジューム再生」とは、取り出したレジューム情報で特定される動画コンテンツを、取り出したレジューム情報で特定される再生中止位置から再生を開始することである。レジューム再生命令部（０２０５）からレジューム再生命令を受けた動画コンテンツ再生表示部（０２０１）は、そのレジューム情報で特定される動画コンテンツデータを取得し、そのレジューム情報で特定される再生中止位置から再生表示を開始することとなる。
<実施形態１のハードウェア構成>
【００７１】
図５は、本実施形態のコンテンツ表示装置の上記機能的構成をハードウェアとして実現した際の構成の一例を表す図である。
【００７２】
以下に、図５のハードウェア図を用いて、本実施形態を実現する手段の一例を説明する。図に示すように、本実施形態の「コンテンツ表示装置」は、「動画コンテンツ再生表示部」、「動画コンテンツリスト表示部」、「レジューム情報スタック部」、「レジューム情報取出部」、「レジューム再生命令部」、などを構成する、「ＣＰＵ」（０５０１）、「主記憶装置」（０５０２）、「プログラム記憶装置」（０５０３）、「ＶＲＡＭ」（０５０４）、「２次記憶装置」（０５０５）、「インターネットＩ／Ｆ」（０５０６）、「ＨＤＤ」（０５０７）、「ユーザＩ／Ｆ」（０５０８）、「外部機器Ｉ／Ｆ」（０５０９）、「ディスプレイ」（０５１０）、「スピーカ」（０５１１）、「バス」（０５１２）などを備えている。
【００７３】
主記憶装置（０５０２）は、プログラム実行中に動的にデータ書換可能な記憶装置である。主記憶装置（０５０２）はプログラム記憶装置（０５０３）に記憶されている動画コンテンツ表示プログラムなどを実行するために必要なスタックやヒープ等のワーク領域を提供する。また主記憶装置（０５０２）は、再生表示するための動画コンテンツデータや、動画コンテンツリスト表示するための動画コンテンツ属性データや、スタックするレジューム情報データや、レジューム再生するために取り出したレジューム情報データなどを保持する。
【００７４】
２次記憶装置（０５０５）はプログラム実行中に動的にデータ書換可能な記憶装置であり、装置の電源が切れても、記憶しているデータが消去されない。２次記憶装置（０５０５）は、動画コンテンツを再生表示し、かつ、再生表示する動画コンテンツの入替指示入力を受付けるためのインターフェイスデータなどを保持する。
【００７５】
また、ＨＤＤ（０５０７）は、動画コンテンツデータや、動画コンテンツデータに関連付けられた動画コンテンツ属性データなどを保持する。
【００７６】
以下、本実施形態のコンテンツ表示装置の処理の一例について説明する。なお、以下は、インターネットを介して動画コンテンツを配信しているサーバからのみ動画コンテンツデータ及び動画コンテンツリストを表示するためのデータ（動画コンテンツの属性データ）を取得し、再生、スタック、レジューム再生などの処理を行うケースの一例について説明する。
【００７７】
まず、本実施形態のコンテンツ表示装置のＣＰＵ（０５０１）は、主記憶装置（０５０２）のワーク領域に展開されている動画コンテンツ表示プログラムに従い、再生表示する動画コンテンツを検索するためのインターフェイスをディスプレイ（０５１０）に表示すると、当該インターフェイスから動画コンテンツを検索するためのキーワードの入力を受付ける。そして、入力を受付けたキーワードを、インターネット上で配信されている動画コンテンツを検索可能に構成されたサーバに対し、インターネットＩ／Ｆ（０５０６）を介して送信する。前記「インターネット上で配信されている動画コンテンツを検索可能に構成されたサーバ」とは、メタデータなどを利用してインターネット上の動画コンテンツを検索するよう構成されたものなどが考えられる。
【００７８】
その後、前記サーバにて前記キーワードを基に動画コンテンツを検索した結果として、一以上の動画コンテンツの属性データをインターネットＩ／Ｆ（０５０６）を介して受信すると、受信したデータを利用して再生表示する動画コンテンツを選択するための動画コンテンツ情報をディスプレイに一覧表示する。その後、前記一覧表示の中から、一つの動画コンテンツを再生表示する指示入力を受付けると、その動画コンテンツを格納しているサーバにアクセスし、その動画コンテンツデータを取得する。
【００７９】
また、再生表示する動画コンテンツを識別する情報を、インターネット上で配信されている動画コンテンツを検索可能に構成されたサーバに対し、インターネットＩ／Ｆ（０５０６）を介して送信する。その後、前記サーバにて、再生表示する動画コンテンツに関連する動画コンテンツを検索した検索結果として、一以上の動画コンテンツの属性データをインターネットＩ／Ｆ（０５０６）を介して受信し、主記憶装置（０５０２）のデータ領域に格納する。前記検索は、再生表示する動画コンテンツに付与されたメタデータを利用して行ってもよい。
【００８０】
そして、２次記憶装置（０５０５）から、「動画コンテンツ及び動画コンテンツリスト表示インターフェイスデータ」を取り出しディスプレイ（０５１０）に出力するとともに、前記インターフェイスの所定領域に、前記動画コンテンツデータを利用して動画コンテンツを再生表示し、また、動画コンテンツの属性データを利用して動画コンテンツリストを表示する。
【００８１】
その後、一つの動画コンテンツを再生表示中に、動画コンテンツリストの中の一つの動画コンテンツを再生表示する入替指示入力を受付けると、前記入力に従い、インターネットＩ／Ｆ（０５０６）を介して新たな動画コンテンツデータを格納しているサーバにアクセスし、その動画コンテンツデータを取得する。また、前記と同様の処理により、新たに再生表示する動画コンテンツに関連する動画コンテンツの属性データを受信し、主記憶装置（０５０２）のデータ領域に格納する。さらに、それまで再生表示していた動画コンテンツを識別する情報と再生中止位置を識別する情報とその動画コンテンツデータを格納している場所を識別する情報を互いに関連付け、レジューム情報データとしてスタックする。
【００８２】
その後、再生表示していた動画コンテンツの再生表示が終了すると、それをトリガに、スタックしているレジューム情報データの一つを、後入れ先出し方式で取り出す。そして、取り出したレジューム情報データで特定される動画コンテンツデータをサーバにアクセスするなどして取得すると、取り出したレジューム情報データで特定される再生中止位置から、再生表示を開始する。
【００８３】
なお、前記は、あらかじめ、コンテンツ表示装置内に、動画コンテンツ表示プログラムや、動画コンテンツの再生表示及び他の動画コンテンツの一覧表示をするためのインターフェイスデータなどを格納しておく例について説明した。しかし、本実施形態のコンテンツ表示装置は当該構成に限定されず、その他、コンテンツ表示装置内にはウェブブラウザが格納されており、動画コンテンツ配信サービスを行っているサーバのウェブページ上で前記のような処理を行うようにしてもよい。
【００８４】
「動画コンテンツ配信サービスを行っているサーバ」とは、動画コンテンツを複数格納しているサーバであって、自己のサーバ内の動画コンテンツのみを対象に検索（キーワード検索、など）し、自己の提供しているウェブページ上で動画コンテンツの再生表示や、入替指示入力を受付けるための動画コンテンツの一覧表示などを行うものなどである。
【００８５】
なお、かかる場合、レジューム情報のスタックは、ユーザの端末装置で行ってもよいし、又は、動画コンテンツ配信サービスを行っているサーバで行ってもよい。
<実施形態１の処理の流れ>
【００８６】
本実施形態のコンテンツ表示装置のコンテンツ表示方法の処理の流れの一例を図６のフローチャートに示す。
【００８７】
まず、コンテンツ表示装置は、ユーザから一つの動画コンテンツを再生表示する指示入力を受付けると（Ｓ０６０１）、その指示に従い動画コンテンツデータを取得する（Ｓ０６０２）。また、動画コンテンツリストを表示するためのデータとして、例えば、再生表示する動画コンテンツと関連のある動画コンテンツの属性データを取得する（Ｓ０６０３）。そして、ステップＳ０６０２で取得した動画コンテンツデータを利用して再生表示するとともに、ステップＳ０６０３で取得した属性データを利用して動画コンテンツリストを表示する（Ｓ０６０４）。
【００８８】
その後、一つの動画コンテンツを再生表示中に、他の動画コンテンツの再生表示を開始するための入替指示入力を受付けると（Ｓ０６０５）、それまで再生表示していた動画コンテンツのレジューム情報をスタックする（Ｓ０６０６）。また、入替指示入力に従い、新たな動画コンテンツデータを取得するとともに（Ｓ０６０７）、動画コンテンツリスを表示するためのデータを取得する（Ｓ０６０８）。そして、ステップＳ０６０７で取得した動画コンテンツデータを利用して再生表示するとともに、ステップＳ０６０８で取得したデータを利用して動画コンテンツリストを表示する（Ｓ０６０９）。
【００８９】
その後、動画コンテンツを再生表示中に、他の動画コンテンツの再生表示を開始するための入替指示入力を受付けると（Ｓ０６０５）、前記処理を繰り返す（Ｓ０６０６〜Ｓ０６０９）。
【００９０】
一方、動画コンテンツを再生表示中に、他の動画コンテンツの再生表示を開始するための入替指示入力を受付けなかった場合であって（Ｓ０６０５）、その動画コンテンツを最後まで再生し終えた場合には（Ｓ０６１０）、レジューム情報がスタックされているか確認する（Ｓ０６１１）。
【００９１】
そして、レジューム情報がスタックされている場合には（Ｓ０６１１）、一つのレジューム情報を後入れ先出し方式で取り出し（Ｓ０６１２）、レジューム情報で特定される動画コンテンツデータを取得する（Ｓ０６１３）とともに、動画コンテンツリスを表示するためのデータを取得する（Ｓ０６１４）。そして、ステップＳ０６１３で取得した動画コンテンツデータを利用して、ステップＳ０６１２で取り出したレジューム情報で特定される再生中止位置から再生表示するとともに、ステップＳ０６１４で取得したデータを利用して動画コンテンツリストを表示する（Ｓ０６１５）。その後、以上の処理を繰り返す。
【００９２】
なお、一の動画コンテンツを再生表示中に、ユーザの操作に従いレジューム情報を取り出し、レジューム再生を開始することも可能である。
<実施形態１の効果>
【００９３】
本実施形態のコンテンツ表示装置及びコンテンツ表示方法により、ユーザは、動画コンテンツをザッピングしながら視聴中、面倒な操作なしに、途中で再生を中止した動画コンテンツの再生を「中止した部分から」開始することが可能となる。
<<実施形態２>>
<実施形態２の概要>
【００９４】
本実施形態のコンテンツ表示装置は、図７の概念図に示すように、デジタルテレビ放送、ＤＶＤコンテンツ、ＶＯＤコンテンツなどのメインコンテンツ（０７０１）とともにメタデータ（０７０２）を表示可能に構成されている。
【００９５】
そして、図７のようにメインコンテンツ（０７０１）とともにメタデータ（０７０２）を表示している状態において、複数のメタデータ（図の場合、出演者が身にまとっている「帽子」、「メガネ」、「ドレス」に関するメタデータ）の中の一つのメタデータ（例、「ドレス」に関するメタデータ）をスタックする指示入力（カーソル位置を「ドレス」のメタデータの表示領域に合わせての決定入力など）をユーザから受付けると、その都度、指示入力に従い、選択されたメタデータをスタックしていく。
【００９６】
その後、視聴中のメインコンテンツ（０７０１）が興味のないコーナーに突入したタイミングや、又は、視聴中のメインコンテンツ（０７０１）が終了後など、ユーザの希望するタイミングで、ユーザから、スタックしたメタデータを利用してウェブ上から取得したコンテンツを表示する指示入力を受付けると、ウェブブラウザを起動する。そして、スタックしたメタデータの中から、後入れ先出し方式で一つのメタデータを取り出し、取り出したメタデータを利用してウェブ上から取得したコンテンツを表示する。
<実施形態２の機能的構成>
【００９７】
本実施形態のコンテンツ表示装置の機能ブロックの一例を図８に示す。図８に示すように、本実施形態の「コンテンツ表示装置」（０８００）は、「コンテンツ表示部」（０８０１）と、「メタデータスタック部」（０８０２）と、「メタデータ取出部」（０８０３）と、「メタデータコンテンツ取得部」（０８０４）を有する。
【００９８】
以下、本実施形態の「コンテンツ表示装置」（０８００）の「コンテンツ表示部」（０８０１）、「メタデータスタック部」（０８０２）、「メタデータ取出部」（０８０３）、「メタデータコンテンツ取得部」（０８０４）の機能的構成について説明する。
【００９９】
「コンテンツ表示部」（０８０１）は、テレビチューナを介して取得したデジタルテレビ放送や、ＤＶＤレコーダーなどの外部機器から取得したコンテンツや、ウェブ上から取得したコンテンツや、コンテンツ表示装置（０８００）内に保存されていたコンテンツや、コンテンツ表示装置（０８００）内でＤＶＤなどから読み出したコンテンツなどを画面に表示するよう構成されている。なお、前記列挙したコンテンツ表示部（０８０１）が表示するコンテンツはあくまで一例であり、前記すべてのコンテンツを表示可能に構成しなくてもよいし、または、前記以外のコンテンツを表示可能に構成してもよい。
【０１００】
ここで、コンテンツ表示部（０８０１）は、前記手段などにより取得したコンテンツの中に含まれるメインコンテンツの他、前記メインコンテンツとともに画面に表示するために作成されたメタデータをも、メインコンテンツとともに表示するよう構成されている。前記「メインコンテンツ」とは、例えば、デジタルテレビ放送の場合には、各チャンネルに対応した本放送が該当する。かかる場合の「メタデータ」とは、本放送とともに画面に表示されるデータ放送などで提供されるメタデータが該当し、例えば、本放送に出演中の出演者が身にまとっている帽子、眼鏡、ドレスなどの情報（ブランド名、販売ショップ名、価格など）に関するメタデータや、本放送中で実施されたプレゼント情報に関するメタデータ（プレゼント情報を記載したウェブページのＵＲＬなど）など、あらゆるメタデータが該当する。
【０１０１】
また、ＤＶＤコンテンツやＶＯＤコンテンツの場合には、前記「メインコンテンツ」とは、再生表示する映画などのコンテンツが該当し、かかる場合の「メタデータ」とは、再生表示しているメインコンテンツに出演中の出演者が身にまとっている帽子、眼鏡、ドレスなどの情報に関するメタデータや、その出演者が出演した他の映画情報に関するメタデータなど、あらゆるメタデータが該当する。
【０１０２】
なお、前記記載したメインコンテンツとともに画面に表示される「メタデータ」はあくまで一例であり、その他、メインコンテンツで流れた曲の曲名、歌手名、作曲者名、作詞者名、また、メインコンテンツで表示されている場所の住所、地名、本放送で表示されている店の店舗名、住所、電話番号、メールアドレス、店舗のホームページのＵＲＬ、同一店の他店舗情報など、あらゆる情報のメタデータが考えられる。また、メタデータは必ずしもメインコンテンツと関連のあるものである必要はなく、メインコンテンツと関連のないものであってもよい。
【０１０３】
「メタデータスタック部」（０８０２）は、メインコンテンツとともに画面に表示されているメタデータを、ユーザからの取得指示に従って取得し、取得したメタデータを順次スタックするよう構成されている。
【０１０４】
すなわち、メタデータスタック部（０８０２）は、例えば、図７に示すように、デジタルテレビ放送の本放送（０７０１）と連動して表示されているデータ放送（０７０２）において表示されている複数のメタデータ（図の場合、本放送に出演中の出演者が身にまとっている帽子、眼鏡、ドレスの情報に関するメタデータ）の中の一つのメタデータ（例：図中、帽子のメタデータ）をスタックする指示入力を受付けると、その都度、そのメタデータを取得し、取得したメタデータを順次スタックすることとなる。「メタデータをスタックする指示入力」は、コンテンツ表示装置に設けられたマウスを利用してポインタ位置をスタックするメタデータの表示領域に合わせての左クリックや、又は、リモコン装置を利用してポインタ位置をスタックするメタデータに合わせての決定ボタンの押下などが考えられる。
【０１０５】
なお、前記はデジタルテレビ放送を表示中にメタデータをスタックするケースを例に説明したが、ＤＶＤコンテンツやＶＯＤコンテンツを表示中にメタデータをスタックするケースについても、前記に準じて実現される。
【０１０６】
「メタデータ取出部」（０８０３）は、メタデータスタック部（０８０２）によりスタックされたメタデータを後入れ先出し方式で取り出すよう構成されている。「後入れ先出し方式」を実現する手段としては特段制限されず、例えば、取得したメタデータを取得した順に１から通し番号を付してスタックし、通し番号が大きいものから順にメタデータを取り出すことで実現してもよい。
【０１０７】
ここで、メタデータ取出部（０８０３）がメタデータを取り出すタイミングとしては、例えば、ユーザからの指示入力を受付けるのをトリガに行うように構成してもよい。このように構成した場合、ユーザは希望するタイミングで、メタデータを利用して取得されるコンテンツの情報（ウェブページ、など）を閲覧することが可能となる。
【０１０８】
その他のメタデータ取出部（０８０３）がメタデータを取り出すタイミングとしては、例えば、デジタルテレビ放送のメタデータをスタックした場合には、メタデータをスタックした番組の放送が終了するのをトリガに行ってもよい。具体的実現手段としては、例えば、メタデータスタック部（０８０２）がユーザ操作に基づきメタデータをスタックすると、メタデータ取出部（０８０３）はそのメタデータを提供していた本放送の番組を識別する。そして、ＥＰＧなどを利用して、その番組の放送終了時間を識別する。その後、前記放送終了時間と現在時間とを大小比較し、現在時間が前記放送終了時間と同じ又は前記放送終了時間より大きくなると、それをトリガに、メタデータ取出部（０８０３）は、後入れ先出し方式で一つのメタデータを取り出すように構成してもよい。
【０１０９】
また、その他のメタデータ取出部（０８０３）がメタデータを取り出すタイミングとしては、例えば、ＤＶＤコンテンツ、ＶＯＤコンテンツを視聴中にメタデータをスタックした場合には、メインコンテンツの再生を終了したのをトリガにメタデータを取り出してもよい。
【０１１０】
その他、前記ユーザからの指示入力を受付けるのをトリガに行う構成と、前記メタデータをスタックしたデジタルテレビ放送の番組の放送が終了するのをトリガに行う構成と、メタデータをスタックしたＤＶＤコンテンツ、ＶＯＤコンテンツのメインコンテンツの再生終了をトリガに行う構成の二以上を組み合わせた構成にしてもよい。
【０１１１】
「メタデータコンテンツ取得部」（０８０４）は、取り出したメタデータを利用してメタデータコンテンツを取得するよう構成されている。「メタデータコンテンツ」とは、ウェブ上で提供されているコンテンツであって、取り出したメタデータを利用して取得されるあらゆるコンテンツが該当する。ウェブ上で提供されているコンテンツとは、例えばウェブページ、動画、静止画、地図、音楽などが考えられる。
【０１１２】
すなわち、メタデータコンテンツ取得部（０８０４）は、取り出したメタデータに、メタデータコンテンツの「格納場所（ＵＲＬなど）」が記載されている場合には、その場所にアクセスしてそのメタデータコンテンツを取得することとなる。また、取り出したメタデータに、曲名、歌手名、作曲者名、作詞者名、住所、地名、店舗名、住所、電話番号、メールアドレスなどの「キーワード」が記載されている場合には、当該キーワードを利用して検索されたメタデータコンテンツを取得することとなる。なお、取り出したメタデータに、メタデータコンテンツの「格納場所（ＵＲＬなど）」と「キーワード」の両方が記載されている場合には、優先的に「格納場所（ＵＲＬなど）」を利用してメタデータコンテンツを取得するようにしてもよいし、または、先頭に記載されたメタデータを利用してメタデータコンテンツを取得するようにしてもよい。メタデータコンテンツ取得部（０８０４）が、「キーワード」を利用してメタデータコンテンツを取得する構成については、以下の実施形態３で説明する。
【０１１３】
メタデータコンテンツ取得部（０８０４）にて取得されたメタデータコンテンツは、前記コンテンツ表示部（０８０１）に渡され、デコード処理などした後、ディスプレイに表示されることとなる。
<実施形態２のハードウェア構成>
【０１１４】
図９は、本実施形態のコンテンツ表示装置の上記機能的構成をハードウェアとして実現した際の構成の一例を表す図である。
【０１１５】
以下に、図９のハードウェア図を用いて、本実施形態を実現する手段の一例を説明する。図に示すように、本実施形態の「コンテンツ表示装置」は、「コンテンツ表示部」、「メタデータスタック部」、「メタデータ取出部」、「メタデータコンテンツ取得部」、などを構成する、「ＣＰＵ」（０９０１）、「主記憶装置」（０９０２）、「プログラム記憶装置」（０９０３）、「ＶＲＡＭ」（０９０４）、「２次記憶装置」（０９０５）、「インターネットＩ／Ｆ」（０９０６）、「デジタルテレビチューナ」（０９０７）、「ユーザＩ／Ｆ」（０９０８）、「ディスプレイ」（０９０９）、「スピーカ」（０９１０）、「バス」（０９１１）などを備えている。
【０１１６】
以下、本実施形態の一例として、コンテンツ表示装置がデジタルテレビ放送を表示中にメタデータをスタックする指示入力を受付け、その後、スタックしたメタデータ（ＵＲＬ）を利用してメタデータコンテンツを出力する処理について説明する。
【０１１７】
まず、ＣＰＵ（０９０１）は、主記憶装置（０９０２）のワーク領域に展開されているデジタルテレビ放送表示プログラムに従い、ユーザＩ／Ｆ（０９１１）を介してデジタルテレビ放送をディスプレイ（０９０９）に表示する指示入力を受付けると、デジタルテレビチューナを介して、デジタルテレビ放送波を受信する。そして、分離、デコードなどの所定の処理をした後、本放送コンテンツと、データ放送コンテンツを、ディスプレイ（０９０９）に表示する。
【０１１８】
その後、ユーザＩ／Ｆ（０９０８）を介して、データ放送に表示されている一以上のメタデータ（本放送に出演中の出演者が身にまとっている帽子、眼鏡、ドレスなどの情報に関するメタデータなど）の中の一つのメタデータをスタックする指示入力を受付けると、その都度、ディスプレイ上のカーソル位置を識別し、スタックするよう選択されたメタデータを特定して、特定したメタデータをスタックする。
【０１１９】
その後、ユーザＩ／Ｆ（０９０８）を介して、スタックしたメタデータを利用してウェブページを閲覧する指示入力を受付けると、スタックされたメタデータの中から一つのメタデータを後入れ先出し方式で取り出す。そして、主記憶装置（０９０２）のワーク領域に展開されたウェブブラウザプログラムに従い、インターネットＩ／Ｆ（０９０６）を介して、取り出したメタデータ（ＵＲＬ）で特定されるウェブページのファイルを取得する。その後、取得したファイルを利用してディスプレイ（０９０９）にウェブページを表示する。
<実施形態２の処理の流れ>
【０１２０】
本実施形態のコンテンツ表示装置のコンテンツ表示方法の処理の流れの一例を図１０のフローチャートに示す。以下は、一例として、スタックしたメタデータにＵＲＬが含まれ、当該ＵＲＬを利用してメタデータコンテンツを取得する処理の流れについて説明する。
【０１２１】
まず、コンテンツ表示装置は、メインコンテンツとともにメタデータを表示している状態で（Ｓ１００１）、一つのメタデータをスタックする指示入力を受付けると（Ｓ１００２）、ディスプレイ上のカーソル位置などから、ユーザがスタックするよう選択したメタデータを特定し、特定したメタデータをスタックする（Ｓ１００３）。
【０１２２】
その後、スタックしたメタデータを利用してコンテンツ（ウェブページなど）を取得し、表示する指示入力を受付けていない間、すなわち、メインコンテンツとメタデータを表示している間は（Ｓ１００４）、一つのメタデータをスタックする指示入力を受付けると（Ｓ１００５）、その都度、ディスプレイ上のカーソル位置などから、ユーザがスタックするよう選択したメタデータを特定し、特定したメタデータをスタックする（Ｓ１００３）。
【０１２３】
その後、スタックしたメタデータを利用して、コンテンツ（ウェブページなど）を取得し、表示する指示入力を受付けると（Ｓ１００４）、スタックしているメタデータの中から一つのメタデータを後入れ先出し方式で取り出す（Ｓ１００６）。そして、取り出したメタデータを利用してメタデータコンテンツを取得し、ディスプレイなどを介して出力する。例えば、ウェブブラウザを起動し、取り出したメタデータに含まれるＵＲＬで特定されるウェブページのファイルを取得して、そのウェブページをディスプレイに表示する（Ｓ１００７）。
【０１２４】
その後、スタックしたメタデータの中の他のメタデータを利用して、コンテンツ（ウェブページなど）を取得、表示する指示入力を受付けると、前記ステップＳ１００６〜Ｓ１００７の処理を繰り返す。
【０１２５】
一方、スタックしたメタデータの中の他のメタデータを利用して、コンテンツ（ウェブページなど）を取得、表示する指示入力を受付けなかった場合で（Ｓ１００８）、メインコンテンツとメタデータを表示する指示入力を受付けた場合には（Ｓ１００９）、ステップＳ１００２に戻り、前記と同様の処理を繰り返す。
【０１２６】
また、ステップＳ１００９において、メインコンテンツとメタデータを表示する指示入力を受付けなかった場合には、コンテンツ表示装置の電源がＯＦＦにされるまで（Ｓ１０１０）、ステップＳ１００８とステップＳ１００９での判断を繰り返しながら、ステップＳ１００７で表示したウェブページの表示を続ける。
<実施形態２の効果>
【０１２７】
本実施形態のコンテンツ表示装置及びコンテンツ表示装置のコンテンツ表示方法により、ユーザは、メインコンテンツとともに画面に表示されるメタデータを利用して、ユーザが希望するタイミングにおいてウェブページなどのコンテンツを取得し、閲覧することが可能となる。
【０１２８】
その結果、メインコンテンツを見逃したり、メタデータを利用して取得可能なウェブページなどのコンテンツを見逃したりすることがなくなる。
<<実施形態３>>
<実施形態３の概要>
【０１２９】
本実施形態のコンテンツ表示システムは実施形態２を基本とするコンテンツ表示装置と、検索サーバ装置とからなる。
【０１３０】
そして、コンテンツ表示装置は、ユーザから、スタックしたメタデータを利用してウェブ上で検索したコンテンツを表示する指示入力を受付けると、スタックしたメタデータの中から、後入れ先出し方式で一つのメタデータを取り出す。そして、ウェブブラウザを起動後、前記取り出したメタデータを検索サーバ装置に送信する。
【０１３１】
検索サーバ装置は、メタデータを受信すると、受信したメタデータを利用してウェブ上で提供されているコンテンツ（ウェブページ、動画、静止画、音楽、地図など）をキーワード検索し、前記検索の結果であるメタデータコンテンツ検索結果をコンテンツ表示装置に送信する。前記メタデータコンテンツ検索結果は、例えば、図１２に示すような、メタデータを利用して検索されたコンテンツの簡易情報を、ハイパーリンクを埋め込んで一覧表示したものであってもよい。なお、図１２に示すようなメタデータコンテンツ検索結果の場合には、キーワード検索に使用したキーワード（メタデータ）の種別（住所、地名、曲名、人名、電話番号など）に合致するメタデータコンテンツを優先的に表示（最初に表示）したものであってもよい。その他、メタデータコンテンツ検索結果は、検索されたコンテンツそのものであってもよい。
【０１３２】
前記メタデータコンテンツ検索結果を受信したコンテンツ表示装置は、ディスプレイやスピーカを介して、メタデータコンテンツ検索結果を出力する。そして、例えば、図１２に示すようなメタデータコンテンツ検索結果をディスプレイに出力した場合には、その後、ユーザ操作に応じて、メタデータコンテンツ検索結果に埋め込まれたハイパーリンクを利用し、ウェブ上からメタデータコンテンツを取得してもよい。
<実施形態３の機能的構成>
【０１３３】
本実施形態のコンテンツ表示システムの機能ブロックの一例を図１３に示す。図１３に示すように、本実施形態の「コンテンツ表示システム」（１３００）は、「コンテンツ表示装置」（１３Ａ００）と「検索サーバ装置」（１３Ｂ００）とからなる。
【０１３４】
そして、本実施形態の「コンテンツ表示装置」（１３Ａ００）は、「コンテンツ表示部」（１３Ａ０１）と、「メタデータスタック部」（１３Ａ０２）と、「メタデータ取出部」（１３Ａ０３）と、「メタデータコンテンツ取得部」（１３Ａ０４）を有し、「メタデータコンテンツ取得部」（１３Ａ０４）は「送信手段」と「受信手段」を有する。
【０１３５】
そして、本実施形態の「検索サーバ装置」（１３Ｂ００）は、「メタデータ受信部」（１３Ｂ０１）と、「メタデータコンテンツ検索部」（１３Ｂ０２）と、「検索結果送信部」（１３Ｂ０３）を有する。なお、「メタデータコンテンツ検索部」（１３Ｂ０２）は「キーワード種別特定手段」と「合致コンテンツ抽出手段」を有してもよい。
【０１３６】
以下、本実施形態の「コンテンツ表示システム」（１３００）の「コンテンツ表示装置」（１３Ａ００）と「検索サーバ装置」（１３Ｂ００）の機能的構成について説明する。
<<コンテンツ表示装置（１３Ａ００）>>
【０１３７】
本実施形態の「コンテンツ表示装置」（１３Ａ００）は、「コンテンツ表示部」（１３Ａ０１）と、「メタデータスタック部」（１３Ａ０２）と、「メタデータ取出部」（１３Ａ０３）と、「メタデータコンテンツ取得部」（１３Ａ０４）を有し、「メタデータコンテンツ取得部」（１３Ａ０４）は「送信手段」と「受信手段」を有する。
【０１３８】
なお、「コンテンツ表示部」（１３Ａ０１）と、「メタデータスタック部」（１３Ａ０２）と、「メタデータ取出部」（１３Ａ０３）の機能的構成については実施形態２と同様であるのでここでの詳細な説明は省略する。以下、「メタデータコンテンツ取得部」（１３Ａ０４）の「送信手段」と「受信手段」の機能的構成について説明する。
【０１３９】
「メタデータコンテンツ取得部」（１３Ａ０４）の「送信手段」は、メタデータ取出部（１３Ａ０３）が取り出したメタデータをインターネット上の検索サーバ装置に対して送信するよう構成されている。すなわち、送信手段は、あらかじめ一つの検索サーバ装置のインターネットアドレス（ＩＰアドレスなど）を保持しておき、メタデータ取出部（１３Ａ０３）からメタデータを取得すると、取得したメタデータを、前記インターネットアドレスで特定される検索サーバ装置に対して送信することとなる。
【０１４０】
「メタデータコンテンツ取得部」（１３Ａ０４）の「受信手段」は、サーバ装置から送信されてきたメタデータコンテンツ検索結果を受信するよう構成されている。ここで、「メタデータコンテンツ検索結果」とは、検索サーバ装置がメタデータを利用してウェブ上でコンテンツ（メタデータコンテンツ）を検索した結果である。具体的には、例えば、図１２に示すような、メタデータを利用して検索されたコンテンツ（メタデータコンテンツ）の簡易情報を、ハイパーリンクを埋め込んで一覧表示したものであってもよい。又は、メタデータを利用して検索されたコンテンツ（メタデータコンテンツ）そのもの（ウェブページなど）であってもよい。
【０１４１】
メタデータコンテンツ取得部（１３Ａ０４）は、受信手段によりメタデータコンテンツ検索結果を受信すると、受信したメタデータコンテンツ検索結果をディスプレイ及び／又はスピーカを介して出力する。
<<サーバ装置（１３Ｂ００）>>
【０１４２】
本実施形態の「検索サーバ装置」（１３Ｂ００）は、「メタデータ受信部」（１３Ｂ０１）と、「メタデータコンテンツ検索部」（１３Ｂ０２）と、「検索結果送信部」（１３Ｂ０３）を有する。なお、「メタデータコンテンツ検索部」（１３Ｂ０２）は「キーワード種別特定手段」と「合致コンテンツ抽出手段」を有してもよい。
【０１４３】
「メタデータ受信部」（１３Ｂ０１）は、コンテンツ表示装置からメタデータを受信するよう構成される。すなわち、メタデータ受信部（１３Ｂ０１）は、コンテンツ表示装置（１３Ａ００）のメタデータコンテンツ取得部（１３Ａ０４）の送信手段がインターネットを介して送信してきたメタデータを受信することとなる。
【０１４４】
「メタデータコンテンツ検索部」（１３Ｂ０２）は、受信したメタデータを利用して、ウェブ上でメタデータコンテンツを検索するよう構成される。具体的には、メタデータコンテンツ検索部（１３Ｂ０２）は、受信したメタデータに含まれるキーワードを利用して、ウェブ上で提供されているあらゆるコンテンツ（ウェブページ、動画、静止画、地図、音楽など）の中から、キーワード検索に合致するコンテンツ（メタデータコンテンツ）を検索する。なお、受信したメタデータに複数のキーワードが含まれる場合には、先頭に記載されたキーワードを利用してキーワード検索をするようにしてもよい。
【０１４５】
ここで、メタデータコンテンツ検索部（１３Ｂ０２）は、「キーワード種別特定手段」と「合致コンテンツ抽出手段」を有し、メタデータ（キーワード）を利用してウェブ上で検索したメタデータコンテンツの中から、前記検索に利用したキーワードの種別に合致したメタデータコンテンツを抽出するように構成してもよい。
【０１４６】
「キーワード種別特定手段」は、ウェブ上でのメタデータコンテンツの検索に利用したキーワードの種別を特定するよう構成されている。ここで、「キーワードの種別」とは、そのキーワードの意味に応じて分類される種別であって、例えば、電話番号、メールアドレス、地名、曲名、人名、などが考えられる。なお、前記列挙した種別はあくまで一例であり、キーワード種別特定手段が特定する種別は、前記以外であってもよい。
【０１４７】
ここで、キーワードの種別を特定する具体的手段としては、例えば、あらかじめ、各種別と、その種別のキーワードの典型的な構成パターンを示した情報を関連付けて保持しておき、取得したキーワードの構成がどの種別の構成パターンに合致するか判断することで、取得したキーワードの種別を特定してもよい。例えば、キーワードの最後の文字が「県、都、府、道、市、町、村」などの文字である構成パターンの場合の種別は「地名」、キーワードが「・・・＠・・・．・・」という構成パターンの場合の種別は「メールアドレス」、キーワードが「０（ゼロ）」から始まる１０桁の数字という構成パターンの場合の種別は「電話番号またはＦＡＸ番号」などのようにして特定してもよい。
【０１４８】
その他、キーワードの種別を特定する具体的手段としては、例えば、あらかじめ、各種別と、各種別に該当する文字列を関連付けて保持しておき、取得したキーワードの一部または全部が、各種別に関連付けられた文字列の中のどの文字列と一致するか判断することで、取得したキーワードの種別を特定してもよい。例えば、「地名」の種別に該当する文字列として「東京」、「有楽町」、「六本木」などの文字列を保持しておき、「曲名」または「人名」の種別として有名な曲の名称や有名な人物の名称などを保持しておいてもよい。
【０１４９】
なお、前記キーワードの種別を特定する具体的手段はあくまで一例であり、その他、従来技術を利用してキーワードの種別を特定してもよい。
【０１５０】
「合致コンテンツ抽出手段」は、キーワードを用いて検索したメタデータコンテンツのなかで、キーワード種別特定手段が特定したキーワードの種別に合致するメタデータコンテンツを抽出するよう構成されている。
【０１５１】
例えば、キーワード種別特定手段が特定したキーワードの種別が「地名」だった場合には、合致コンテンツ抽出手段は、キーワードを用いて検索したメタデータコンテンツの中から、地図データであるメタデータコンテンツを抽出してもよい。また、キーワード種別特定手段が特定したキーワードの種別が「曲名」だった場合には、合致コンテンツ抽出手段は、キーワードを用いて検索したメタデータコンテンツの中から、音楽データであるメタデータコンテンツを抽出してもよい。
【０１５２】
「検索結果送信部」（１３Ｂ０３）は、メタデータコンテンツ検索部での検索結果であるメタデータコンテンツ検索結果をコンテンツ表示装置（１３Ａ００）に対して送信するよう構成されている。「メタデータコンテンツ検索結果」とは、メタデータを利用してウェブ上でメタデータコンテンツを検索した結果であって、例えば、図１２に示すような、メタデータを利用して検索されたコンテンツ（メタデータコンテンツ）の簡易情報を、ハイパーリンクを埋め込んで一覧表示したものであってもよい。前記一覧表示は、合致コンテンツ抽出手段が抽出したメタデータコンテンツ（地図、静止画など）を最初に表示したものであってもよい。又、メタデータコンテンツ検索結果は、メタデータを利用して検索された一つのコンテンツ（メタデータコンテンツ）そのものであってもよい。前記一つのコンテンツ（メタデータコンテンツ）は、合致コンテンツ抽出手段が抽出したメタデータコンテンツ（地図、静止画など）であってもよい。
<実施形態３の処理の流れ>
【０１５３】
本実施形態のコンテンツ表示システムにおいて、コンテンツ表示装置が取り出したメタデータを利用してメタデータコンテンツ検索結果を出力するまでの処理の流れの一例を図１４のシーケンス図に示す。
【０１５４】
まず、コンテンツ表示装置は、ユーザから、スタックしたメタデータ（キーワード）を利用して、コンテンツを表示する指示入力を受付けると、スタックしているメタデータの中から一つのメタデータを、後入れ先出し方式で取り出す（Ｓ１４０１）。そして、ステップＳ１４０１で取り出したメタデータを検索サーバ装置に対して送信する（Ｓ１４０２）。
【０１５５】
その後、メタデータを受信した検索サーバ装置は、メタデータに含まれるキーワードを利用して、ウェブ上で提供されているコンテンツの中から、前記キーワードに合致するメタデータコンテンツを検索する（Ｓ１４０３）。また、ステップＳ１４０３での検索に利用したキーワードの種別を特定し（Ｓ１４０４）、ステップＳ１４０３で検索したメタデータコンテンツの中から、ステップＳ１４０４で特定した種別に合致するメタデータコンテンツを抽出する（Ｓ１４０５）。
【０１５６】
その後、検索サーバ装置は、メタデータに含まれるキーワードを利用した検索の結果であるメタデータコンテンツ検索結果を、ステップＳ１４０２でメタデータを送信してきたコンテンツ表示装置に対して送信する（Ｓ１４０６）。前記「メタデータコンテンツ検索結果」は、ステップＳ１４０３において検索されたメタデータコンテンツを、ハイパーリンクを埋め込んで一覧表示したものであってもよい。又、前記一覧表示は、ステップＳ１４０５で抽出したメタデータコンテンツを最初に表示したものであってもよい。又、メタデータコンテンツ検索結果は、検索結果に合致する一つのコンテンツ（地図データ、音楽データ、静止画など）そのものであってもよい。前記一つのコンテンツ（メタデータコンテンツ）は、ステップＳ１４０５で抽出したメタデータコンテンツであってもよい。
【０１５７】
その後、メタデータコンテンツ検索結果を受信したコンテンツ表示装置は、受信したメタデータコンテンツ検索結果を、ディスプレイ、スピーカなどを介して出力する（Ｓ１４０７）。
<実施形態３の効果>
【０１５８】
本実施形態のコンテンツ表示システムにより、ユーザは、メインコンテンツとともに画面に表示されるメタデータを利用して、ユーザが希望するタイミングにおいてウェブページなどのコンテンツを取得し、閲覧などすることが可能となる。
【０１５９】
その結果、メインコンテンツを見逃したり、メタデータを利用して取得可能なウェブページなどのコンテンツを取得し損なったりすることがなくなる。
【図面の簡単な説明】
【０１６０】
【図１】実施形態１の概要を説明するための概念図
【図２】実施形態１のコンテンツ表示装置の機能ブロック図一例
【図３】動画コンテンツリストを表示する態様の一例を説明する概念図
【図４Ａ】スタックされるレジューム情報の一例を模式的に示した図１
【図４Ｂ】スタックされるレジューム情報の一例を模式的に示した図２
【図５】実施形態１のハードウェア構成の一例を示した概念図
【図６】実施形態１の処理の流れを示すフローチャート図の一例
【図７】実施形態２の概要を説明するための概念図
【図８】実施形態２のコンテンツ表示装置の機能ブロック図の一例
【図９】実施形態２のハードウェア構成の一例を示した概念図
【図１０】実施形態２の処理の流れを示すフローチャート図の一例
【図１１】実施形態１のコンテンツ表示装置において動画コンテンツを再生表示などするインターフェイスの一例
【図１２】メタデータコンテンツ検索結果の一例
【図１３】実施形態３のコンテンツ表示システムの機能ブロック図の一例
【図１４】実施形態３の処理の流れを示すシーケンス図の一例
【符号の説明】
【０１６１】
０２００        コンテンツ表示装置
０２０１        動画コンテンツ再生表示部
０２０２        動画コンテンツリスト表示部
０２０３        レジューム情報スタック部
０２０４        レジューム情報取出部
０２０５        レジューム再生命令部
【図１】
2010130409.tif 000003
【図２】
2010130409.tif 000004
【図３】
2010130409.tif 000005
【図４Ａ】
2010130409.tif 000006
【図４Ｂ】
2010130409.tif 000007
【図５】
2010130409.tif 000008
【図６】
2010130409.tif 000009
【図７】
2010130409.tif 000010
【図８】
2010130409.tif 000011
【図９】
2010130409.tif 000012
【図１０】
2010130409.tif 000013
【図１１】
2010130409.tif 000014
【図１２】
2010130409.tif 000015
【図１３】
2010130409.tif 000016
【図１４】
2010130409.tif 000017